(57)【特許請求の範囲】
【請求項１】
第１及び第２のコネクタ部材（１０、１２）からなるコネクタであって、
第１のコネクタ部材（１０）が、嵌合部（１６）及び両端部に位置するガイド取り付け部（１８）とを有する絶縁性のボディ（１４）と、該嵌合部に配置された信号端子（２２）と、該ガイド取り付け部に設けられた導体の突起状のガイド（２４）とを備え、
第２のコネクタ部材（１２）が、該第１のコネクタ部材の嵌合部と嵌合可能な嵌合部（３６）及び両端部に位置するガイド取り付け部（３８）とを有する絶縁性のボディ（３４）と、該嵌合部に配置され且つ該第１のコネクタ部材の信号端子と係合可能な信号端子（４２）と、該ガイド取り付け部に設けられ且つ該第１のコネクタ部材の突起状のガイドを受け且つ案内する導体の凹部形状のガイド（４４）とを備え、
さらに、該突起状のガイドと該凹部形状のガイドの少なくとも一方が弾力性の接触部（４８）を備え、
第１のコネクタ部材（１０）と第２のコネクタ部材（１２）とを嵌合するときに第１のコネクタの突起状のガイド（２４）が第２のコネクタ部材の凹部形状のガイド（４４）に接触した後で第１のコネクタ部材の信号端子（２２）が第２のコネクタ部材の信号端子（４２）に接触し、且つ該弾力性の接触部（４８）は該弾力性の接触部が設けられた方とは反対側のガイド（２４）に弾性的に接触せしめられるように構成し、
第２のコネクタ部材（１２）の絶縁性のボディ（３４）の嵌合部（３６）とガイド取り付け部（３８）とは段付きに形成されていて該嵌合部の表面が該ガイド取り付け部の表面よりも高くなっており、第２のコネクタ部材のガイド取り付け部の表面及び側面には第２のコネクタ部材の長手方向とほぼ垂直に延びる溝（５２）が設けられ、該凹部形状のガイド（４４）の係止壁部（５０）は該溝（５２）に圧入されていることを特徴とするコネクタ。
【請求項２】
第１のコネクタ部材（１０）の絶縁性のボディ（１４）の嵌合部（１６）とガイド取り付け部（１８）とは段付きに形成されていて該嵌合部の表面が該ガイド取り付け部の表面よりも高くなっており、第１のコネクタ部材のガイド取り付け部の表面及び端面には第１のコネクタ部材の長手方向とほぼ平行に延びる溝（２９）が設けられ、該突起状のガイド（２４）の脚部（２８）は該溝（２９）に圧入されていることを特徴とする請求項１に記載のコネクタ。
【請求項３】
該突起状のガイド（２４）及び該凹部形状のガイド（４４）は金属の板部材を折り曲げて形成されていることを特徴とする請求項２に記載のコネクタ。
【請求項４】
第１及び第２のコネクタ部材（１００、１０２）からなるコネクタであって、
第１のコネクタ部材（１００）が、嵌合部（５６）及び両端部に位置するガイド部（５８）とを有する絶縁性のボディ（５４）と、該嵌合部に配置された信号端子（６２）と、該ガイド部に設けられた導体の接触部（６０）とを備え、
第２のコネクタ部材（１０２）が、該第１のコネクタ部材の嵌合部と嵌合可能な嵌合部（６６）及び両端部に位置し且つ第１のコネクタ部材のガイド部を受け且つ案内する凹部形状のガイド部（６８）とを有する絶縁性のボディ（６４）と、該嵌合部に配置され且つ該第１のコネクタ部材の信号端子と係合可能な信号端子（７０）と、該ガイド部に設けられ且つ該第１のコネクタ部材の接触部と接触可能な接触部（７４）とを備え、
第１のコネクタ部材（１００）と第２のコネクタ部材（１０２）とを嵌合するときに第１のコネクタの接触部（６０）が第２のコネクタ部材の接触部（７４）に接触した後で第１のコネクタ部材の信号端子（６２）が第２のコネクタ部材の信号端子（７０）に接触するように構成され、
該第１のコネクタ部材（１００）の接触部（６０）は該第１のコネクタ部材のガイド部（５８）の端面に設けた溝に配置され、該第２のコネクタ部材（１０２）の接触部（７４）は該第２のコネクタ部材のガイド部（６８）の内面に配置されることを特徴とするコネクタ。
【請求項５】
該第１のコネクタ部材の接触部（６０）及び該第２のコネクタ部材の接触部（７４）の少なくとも一方は弾力性の接触片を含むことを特徴とする請求項４に記載のコネクタ。
【請求項６】
該第１のコネクタ部材（１００）の該嵌合部（５６）とガイド部（５８）とはほぼ同一表面に形成され、該第２のコネクタ部材（１０２）の該ガイド部（６８）は嵌合部（６６）とはほぼ同一表面で形成されていることを特徴とする請求項４に記載のコネクタ。
【発明の詳細な説明】
【０００１】
【発明の属する技術分野】
本発明は電気電子機器を接続するためのコネクタに関する。
【０００２】
【従来の技術】
従来から電気電子機器を電気的に接続するためにコネクタが使用されている。例えば、コンピュータは、コンピュータ本体と、その他の小型電子機器（例えばＨＤＤ装置）を含み、小型電子機器はコネクタによってコンピュータ本体に接続される。コネクタは通常プラグコネクタとジャックコネクタとを対としてなる。コンピュータ本体にジャックコネクタが取り付けられ、ＨＤＤ装置にプラグコネクタが取り付けられている。そこで、プラグコネクタとジャックコネクタとを嵌合すると、ＨＤＤ装置はコネクタによってコンピュータ本体に電気的に接続される。
【０００３】
プラグコネクタはＨＤＤ装置に固定されているので、プラグコネクタをジャックコネクタに嵌合するためには、プラグコネクタをＨＤＤ装置とともに移動しながら、プラグコネクタをジャックコネクタに嵌合することが必要である。このため、プラグコネクタを繊細に動かすことが難しく、ジャックコネクタに望ましくないほどの大きな力がかかってしまうことがある。
【０００４】
また、コンピュータ本体内のＨＤＤ装置の設置スペースは狭いので、ジャックコネクタとプラグコネクタとの嵌合部は見えにくいことが多い。ジャックコネクタとプラグコネクタとの嵌合部が見えていないと、ジャックコネクタをプラグコネクタに円滑に嵌合することができなかったり、ジャックコネクタやプラグコネクタを損傷したりすることがある。
【０００５】
ジャックコネクタをプラグコネクタに円滑に嵌合することができるようにするために、ジャックコネクタ及びプラグコネクタに嵌合のためのガイドを設けた提案が、米国特許第５３５６３００号に開示されている。この従来技術では、プラグコネクタの絶縁性のボディの両端部からこの絶縁性のボディと一体的にアライメントポストを突出させ、ジャックコネクタの絶縁性のボディの両端部にはアライメントポストを受ける嵌合凹部を設け、アライメントポストが嵌合凹部に沿って移動できるようになっている。
【０００６】
従って、ジャックコネクタをプラグコネクタに嵌合するときに、アライメントポストが嵌合凹部に沿ってガイドされるので、ジャックコネクタとプラグコネクタの嵌合部が見えなくても、アライメントポストの部分さえ見えれば、ジャックコネクタをプラグコネクタに正確に嵌合することができる。さらに、アライメントポスト及び嵌合凹部にはそれぞれグランド端子が設けられ、アライメントポストが嵌合凹部に沿って移動するときに、両グランド端子が接触し、グランドの接続が達成されるようになっている。
【０００７】
【発明が解決しようとする課題】
上記従来技術では、アライメントポストはプラグコネクタの絶縁性のボディと一体的に樹脂成形されている。プラグコネクタは多くの信号端子を含むために比較的に長く、アライメントポストは絶縁性のボディの両端部に突起状に形成されている。すなわち、アライメントポストは絶縁性のボディの表面と垂直に形成されている。このような形状の樹脂部品においては、樹脂成形の結果として、アライメントポストが絶縁性のボディの表面に対して垂直よりも内側に変形しやすいという問題点がある。アライメントポストが変形していると、ジャックコネクタをプラグコネクタに正確に嵌合することができない。
【０００８】
さらに、樹脂のアライメントポストの強度が比較的に小さく、ジャックコネクタをプラグコネクタに嵌合するときにアライメントポストが変形しやすい。上記したＨＤＤ装置をコンピュータ本体に接続するときには、プラグコネクタをＨＤＤ装置とともに動かしながらジャックコネクタに嵌合するが、このために、ジャックコネクタ及びプラグコネクタに大きな力がかかり、アライメントポストが変形しやすい。
【０００９】
さらに、アライメントポスト及び嵌合凹部にはそれぞれグランド端子が設けられ、アライメントポストが嵌合凹部に沿って移動するときに、両グランド端子が接触し、グランドの接続が達成されるようになっている。そこで、両グランド端子は、コネクタ内部の信号端子が接続される前に互いに接続されて信号端子に不意の電流が流れるのを防止している。しかし、樹脂のアライメントポスト及び嵌合凹部に設けられた導体片であるグランド端子は、アライメントポストよりも短いので、両グランド端子の接触はあまり早く達成できない。
【００１０】
本発明の目的は、２つのコネクタ部材を確実に嵌合することができ、比較的に強くて変形しにくく、グランドの接触を早く達成することができるガイド部及び接触部をもったコネクタを提供することである。
【００１１】
【課題を解決するための手段】
本発明によるコネクタは、第１及び第２のコネクタ部材１０、１２からなるコネクタであって、第１のコネクタ部材１０が、嵌合部１６及び両端部に位置するガイド取り付け部１８とを有する絶縁性のボディ１４と、該嵌合部に配置された信号端子２２と、該ガイド取り付け部に設けられた導体の突起状のガイド２４とを備え、第２のコネクタ部材１２が、該第１のコネクタ部材の嵌合部と嵌合可能な嵌合部３６及び両端部に位置するガイド取り付け部３８とを有する絶縁性のボディ３４と、該嵌合部に配置され且つ該第１のコネクタ部材の信号端子と係合可能な信号端子４２と、該ガイド取り付け部に設けられ且つ該第１のコネクタ部材の突起状のガイドを受け且つ案内する導体の凹部形状のガイド４４とを備え、さらに、該突起状のガイドと該凹部形状のガイドの少なくとも一方が弾力性の接触部４８を備え、第１のコネクタ部材と第２のコネクタ部材とを嵌合するときに第１のコネクタの突起状のガイド２４が第２のコネクタ部材の凹部形状のガイド４４に接触した後で第１のコネクタ部材の信号端子２２が第２のコネクタ部材の信号端子４２に接触し、且つ該弾力性の接触部４８は該弾力性の接触部が設けられた方とは反対側のガイド２４に弾性的に接触せしめられるように構成し、第２のコネクタ部材１２の絶縁性のボディ３４の嵌合部３６とガイド取り付け部３８とは段付きに形成されていて該嵌合部の表面が該ガイド取り付け部の表面よりも高くなっており、第２のコネクタ部材のガイド取り付け部の表面及び側面には第２のコネクタ部材の長手方向とほぼ垂直に延びる溝５２が設けられ、該凹部形状のガイド４４の係止壁部５０は該溝５２に圧入されていることを特徴とするものである。
【００１２】
この構成においては、導体の突起状のガイドが第１のコネクタ部材の絶縁性のボディのガイド取り付け部に設けられており、この導体の突起状のガイドは第２のコネクタ部材の絶縁性のボディのガイド取り付け部に設けられた導体の凹部形状のガイドに沿って案内されるようになっている。導体の突起状のガイドは金属性であり、樹脂性のガイド又はアライメントポストよりも強度が強く且つ変形しにくい。また、導体の突起状のガイドと導体の凹部形状のガイドはグランド端子として使用され、両者が接触した瞬間にグランド電流が流れる。従って、絶縁性のガイドにグランド端子を設けた場合よりもグランドの接触を早くすることができる。そして、導体の突起状のガイドと導体の凹部形状のガイドがあることにより、２つのコネクタ部材を確実に嵌合することができ、且つ第１のコネクタの突起状のガイドが第２のコネクタ部材の凹部形状のガイドに接触した後で第１のコネクタ部材の信号端子が第２のコネクタ部材の信号端子に接触するので、信号端子を保護することができる。さらに、導体の凹部形状のガイドは第２のコネクタ部材の絶縁性のボディのガイド取り付け部に確実に且つ強固に固定されることができ、導体の凹部形状のガイドの先端は絶縁性のボディの嵌合部の表面とほぼ同じ高さまで延びるようにすることができる。
【００１３】
上記構成において、第１のコネクタ部材の絶縁性のボディの嵌合部とガイド取り付け部とは段付きに形成されていて該嵌合部の表面が該ガイド取り付け部の表面よりも高くなっており、第１のコネクタ部材のガイド取り付け部の表面及び端面には第１のコネクタ部材の長手方向とほぼ平行に延びる溝が設けられ、該突起状のガイドは該溝に圧入されている構成をとることができる。これによって、導体の突起状のガイドの脚部は第１のコネクタ部材の絶縁性のボディのガイド取り付け部に確実に且つ強固に固定されることができ、導体の突起状のガイドの先端は絶縁性のボディの嵌合部の表面とほぼ同じ高さまで延びるようにすることができる。
【００１５】
上記構成において、突起状のガイド及び凹部形状のガイドは金属の板部材を折り曲げて形成されている構成とすることができる。この場合、上記溝は板部材の厚さと等しい幅を有し、突起状のガイド及び凹部形状のガイドの脚部がそれぞれの溝に圧入されるようになっている。
【００１６】
さらに、本発明によるコネクタは、第１及び第２のコネクタ部材からなるコネクタであって、第１のコネクタ部材５０が、嵌合部５６及び両端部に位置するガイド部５８とを有する絶縁性のボディ５４と、該嵌合部に配置された信号端子６２と、該ガイド部に設けられた導体の接触部６０とを備え、第２のコネクタ部材５２が、該第１のコネクタ部材の嵌合部と嵌合可能な嵌合部６６及び両端部に位置し且つ第１のコネクタ部材のガイド部を受け且つ案内する凹部形状のガイド部６８とを有する絶縁性のボディ６４と、該嵌合部に配置され且つ該第１のコネクタ部材の信号端子と係合可能な信号端子７０と、該ガイド部に設けられ且つ該第１のコネクタ部材の接触部と接触可能な接触部７４とを備え、第１のコネクタ部材と第２のコネクタ部材とを嵌合するときに第１のコネクタの接触部６０が第２のコネクタ部材の接触部７４に接触した後で第１のコネクタ部材の信号端子６２が第２のコネクタ部材の信号端子７０に接触するように構成し、該第１のコネクタ部材１００の接触部６０は該第１のコネクタ部材のガイド部５８の端面に設けた溝に配置され、該第２のコネクタ部材１０２の接触部７４は該第２のコネクタ部材のガイド部６８の内面に配置されることを特徴とするものである。
【００１７】
この構成においては、第１のコネクタ部材の絶縁性のボディが嵌合部とガイド部とを有し、ガイド部は特にピン状に突出して形成される必要はなく、よって樹脂成形において変形しにくい、強い構造を提供する。このガイド部に設けられた導体の接触部が設けられている。第２のコネクタ部材の絶縁性のボディは凹部形状のガイド部を有し、第１のコネクタ部材の接触部と接触可能な接触部がこのガイド部に設けられる。この構成においても、第１のコネクタ部材のガイド部が第２のコネクタ部材のガイド部に沿って案内されるようになっている。第１のコネクタ部材と第２のコネクタ部材とを嵌合するときに第１のコネクタの接触部が第２のコネクタ部材の接触部に接触した後で第１のコネクタ部材の信号端子が第２のコネクタ部材の信号端子に接触し、信号端子を保護することができる。
【００１８】
上記構成において、第１のコネクタ部材の接触部及び第２のコネクタ部材の接触部の少なくとも一方は弾力性の接触片を含む。また、該第１のコネクタ部材の該嵌合部とガイド部とはほぼ同一表面に形成され、該第２のコネクタ部材の該ガイド部は嵌合部とほぼ同一表面に形成されている。
【００１９】
【発明の実施の形態】
図１は本発明の第１実施例のプラグコネクタ１０を示す斜視図であり、図２は図１のプラグコネクタ１０と嵌合可能なジャックコネクタ１２を示す斜視図である。プラグコネクタ１０とジャックコネクタ１２とを合わせて本発明のコネクタが構成される。図３はプラグコネクタ１０の信号端子を示している。
【００２０】
図１に示されるように、プラグコネクタ１０は絶縁性のボディ１４を備え、この絶縁性のボディ１４は環状の嵌合部１６と、嵌合部１６の外側で絶縁性のボディ１４の両端部に位置するガイド取り付け部１８とを有する。嵌合部１６とガイド取り付け部１８とは段付きに形成されていて、嵌合部１６の表面１６ａはガイド取り付け部１８の表面よりも高くなっている。嵌合部１６内には中心縦壁２０がある。
【００２１】
図２に示されるように、ジャックコネクタ１２は絶縁性のボディ３４を備え、この絶縁性のボディ３４は環状の嵌合部３６と、嵌合部３６の外側で絶縁性のボディ３４の両端部に位置するガイド取り付け部３８とを有する。嵌合部３６とガイド取り付け部３８とは段付きに形成されていて、嵌合部３６の表面３６ａはガイド取り付け部３８の表面よりも高くなっている。嵌合部３６とガイド取り付け部３８との間にはギャップ４０が設けられる。
【００２２】
ジャックコネクタ１２の嵌合部３６の外形形状とプラグコネクタ１０の嵌合部１６の内形形状とは一致するように形成されている。従って、プラグコネクタ１０とジャックコネクタ１２とを嵌合する場合、プラグコネクタ１０の嵌合部１６の表面１６ａとジャックコネクタ１２の嵌合部３６の表面３６ａとを向き合わせ、ジャックコネクタ１２の嵌合部３６をプラグコネクタ１０の嵌合部１６の内部に挿入する。この際、プラグコネクタ１０の嵌合部１６の先端がジャックコネクタ１２の嵌合部３６とガイド取り付け部３８との間のギャップ４０に入る。
【００２３】
図３に示されるように、プラグコネクタ１０の嵌合部１６内には、雄型の信号端子２２が中心縦壁２０の両面に沿って設けられている。嵌合側の表面１６ａとは反対側において、信号端子２２の端部２２ａはＨＤＤ装置のプリント回路板（図示せず）にはんだ付けされる。なお、この信号端子２２の構造は一例であり、他の構造の信号端子を設けることができる。
【００２４】
図２に示されるように、ジャックコネクタ１２の嵌合部３６の内壁３６ｂには雌型の信号端子４２が設けられている。公知のように、プラグコネクタ１０とジャックコネクタ１２とを嵌合するときに、雄型の信号端子２２は雌型の信号端子４２に嵌合され、電気的な接続が達成される。雌型の信号端子４２の他端は例えばコンピュータ本体のプリント回路板（図示せず）にはんだ付けされる。
【００２５】
図１に示されるように、導体の突起状のガイド２４がプラグコネクタ１０のガイド取り付け部１８に設けられる。また、図２に示されるように、導体の凹部形状のガイド４４がジャックコネクタ１２のガイド取り付け部３８に設けられる。凹部形状のガイド４４は突起状のガイド２４を受け且つ案内するように形成されている。突起状のガイド２４が凹部形状のガイド４４に案内される際に嵌合部３６が嵌合部１６に嵌合される。突起状のガイド２４はプリント回路板（図示せず）への接続部２６を有し、凹部形状のガイド４４はプリント回路板（図示せず）への接続部４６を有する。さらに、弾力性の接触部４８が凹部形状のガイド４４に設けられ、この弾力性の接触部４８はプラグコネクタ１０の導体の突起状のガイド２４に弾力的に接触する。従って、突起状のガイド２４が凹部形状のガイド４４に接触した瞬間にグランド電流が流れ、この弾力性の接触部４８はその後で弾力的な接触により確実な電気的な接触を維持する。
【００２６】
図４及び図５はプラグコネクタ１０のガイド取り付け部１８に設けられる導体の突起状のガイド２４の詳細を示す図である。突起状のガイド２４は金属の板部材をプレスによって打ち抜き、そして概略矩形状の形状に折り曲げて形成されている。突起状のガイド２４は垂直に延びる３垂直壁２４ａ、２４ｂ、２４ｃを有し、３垂直壁２４ａ、２４ｂ、２４ｃの上にはそれぞれ斜壁２４ｄ、２４ｅ、２４ｆが連続し、さらに小さな天壁２４ｇが斜壁２４ｅに連続して設けられている。斜壁２４ｄ、２４ｅ、２４ｆは小さな天壁２４ｇに出会う。よって、突起状のガイド２４の上部は一面が開放された四角錐形状となっており、凹部形状のガイド４４に挿入されるのに適したものである。
【００２７】
プラグコネクタ１０の長手方向とほぼ平行に延びる突起状のガイド２４の２垂直壁２４ａ、２４ｃの先端部には、係止脚部２８が設けられる。係止脚部２８は、横張出部２８ａ、係止部２８ｂ、先細部２８ｃを有する。
プラグコネクタ１０の絶縁性のボディ１４のガイド取り付け部１８にはプラグコネクタ１０の長手方向とほぼ平行に延びる溝２９が設けられる。溝２９はガイド取り付け部１８の表面１８ａ及び端面１８ｂに開口する上部の矩形状部分２９ａと、上部の矩形状部分２９ａの下方に連続し端面１８ｂには開口しない底部の矩形状部分２９ｂとを有する。
【００２８】
上部の矩形状部分２９ａには係止脚部２８の横張出部２８ａが挿入され、底部の矩形状部分２９ｂには係止脚部２８の係止部２８ｂ及び先細部２８ｃが挿入される。係止脚部２８の先細部２８ｃの幅は底部の矩形状部分２９ｂの幅よりも小さく、係止部２８ｂの初期の幅は底部の矩形状部分２９ｂの幅よりもわずかに大きい。従って、係止部２８ｂを挿入するときに、係止部２８ｂが変形しながら底部の矩形状部分２９ｂに圧入される。そして、係止脚部２８の横張出部２８ａの先端面は上部の矩形状部分２９ａの先端面に密着し、同横張出部２８ａの下端面は上部の矩形状部分２９ａの下端面に密着するようになっている。従って、突起状のガイド２４はガイド取り付け部１８に確実に且つ強固に固定される。
【００２９】
図６から図７はジャックコネクタ１２に設けられる導体の凹部形状のガイド４４の詳細を示す図である。導体の凹部形状のガイド４４は金属の板部材をプレスによって打ち抜き、そして概略Ｕ字にかんぬきを付加した形状に折り曲げて形成されている。凹部形状のガイド４４はＵ字を形成するように垂直に延びる３垂直壁４４ａ、４４ｂ、４４ｃを有し、弾力性の接触部４８は中央の垂直壁４４ｂにスリットをいれて小さな接触片とすることにより形成されている。
【００３０】
ジャックコネクタ１２の長手方向と平行に延びる２垂直壁４４ａ、４４ｃの先端から係止壁部５０がＵ字の開口部を部分的に閉じるように延びている。係止壁部５０の内面側には係止突起５０ａが設けられ、係止壁部５０の前面側には弾性係止部５０ｂが設けられる。
【００３１】
ジャックコネクタ１２の絶縁性のボディ３４のガイド取り付け部３８には、ジャックコネクタ１２の長手方向とほぼ垂直に延びる溝５２が設けられる。溝５２はガイド取り付け部３８の表面３８ａ及び側面３８ｂに開口するほぼ矩形状の溝である。凹部形状のガイド４４はガイド取り付け部３８を取り巻くようにガイド取り付け部３８に取り付けられ、係止壁部５０が溝５２に挿入される。係止壁部５０の内面側の係止突起５０ａは、２つの対向する係止突起５０ａ間の距離が２つの溝５２の対向する内面間の距離よりもわずかに小さくなるように形成され、係止壁部５０が溝５２に挿入するときに、係止突起５０ａが変形しながら溝５２に圧入されるようになっている。また、係止壁部５０の前面側の弾性係止部５０ｂが溝５２の側面に弾性的に係合し、係止壁部５０が開くのを防止する。従って、凹部形状のガイド４４はガイド取り付け部３８に確実に且つ強固に固定される。
【００３２】
図９は本発明の第２実施例のプラグコネクタ１００を示す斜視図であり、図１０は図９のプラグコネクタ１００と嵌合可能なジャックコネクタ１０２を示す斜視図である。プラグコネクタ１００とジャックコネクタ１０２とを合わせて本発明のコネクタが構成される。
【００３３】
図９に示されるように、プラグコネクタ１００は絶縁性のボディ５４を備え、この絶縁性のボディ５４は環状の嵌合部５６と、嵌合部５６の外側で絶縁性のボディ５４の両端部に位置するガイド部５８とを有する。絶縁性のボディ５４の嵌合部５６の表面５６ａとガイド部５８の表面５８ａとはほぼ同一表面に形成されている。従って、この構造は、変形しにくく、強いものである。ガイド部５８には導体の接触部６０が配置されている。導体の接触部６０はガイド部５８の端面に設けた溝に挿入され、ガイド部５８の表面５６ａから下に向かって延びる。さらに、嵌合部５６の内部には雄型の信号端子６２が配置されている。
【００３４】
図１０に示されるように、ジャックコネクタ１０２は、絶縁性のボディ６４を備え、この絶縁性のボディ６４は環状の嵌合部６６と、嵌合部６６の外側で絶縁性のボディ６４の両端部に位置する凹部形状のガイド部６８とを有する。嵌合部６６はプラグコネクタ５０の嵌合部５６に嵌合されるべきものである。また、凹部形状のガイド部６８はプラグコネクタ１００のガイド部５８を受け且つ案内するように形成されている。絶縁性のボディ６４のガイド部６８の表面６８ａは嵌合部６６の表面６６ａとはほぼ同一表面で形成され、プラグコネクタ１００とジャックコネクタ１０２とを嵌合するときに、プラグコネクタ１００のガイド部５８がジャックコネクタ１０２の凹部形状のガイド部６８に接触した後で、嵌合部５６、６６が接触する。ジャックコネクタ１０２の凹部形状のガイド部６８は大きく形成されることができるので、強度の上では問題がない。
【００３５】
嵌合部６６の内部には雌型の信号端子７０が配置される。嵌合部６６とガイド部６８との間にはギャップ７２があり、プラグコネクタ１００とジャックコネクタ１０２とを嵌合したときに、プラグコネクタ１００の嵌合部５６の先端部がこのギャップ７２に入る。ガイド部６８には導体の接触部７４が配置されている。この接触部７４は金属板の一部にスリットを設けて小片にして弾力性を付与したものであり、プラグコネクタ１００の接触部６０と弾性的に接触する。この場合にも、プラグコネクタ１００とジャックコネクタ１０２とを嵌合するときにプラグコネクタ１００の接触部６０がジャックコネクタ１０２の接触部７４に接触した後でプラグコネクタ１００の信号端子６２がジャックコネクタ１０２の信号端子７０に接触し、信号端子を保護することができる。
【００３６】
【発明の効果】
以上説明したように、本発明によれば、２つのコネクタ部材を確実に嵌合することができ、比較的に強くて変形しにくく、グランドの接触を早く達成することができる効果を奏する。
【図面の簡単な説明】
【図１】本発明の第１実施例のプラグコネクタを示す斜視図である。
【図２】図１のプラグコネクタと嵌合可能なジャックコネクタを示す斜視図である。
【図３】図１のプラグコネクタの信号端子の例を示すプラグコネクタの部分斜視図である。
【図４】図１のプラグコネクタのガイド取り付け部に設けられる導体の突起状のガイドの詳細を示す部分斜視図である。
【図５】図４の導体の突起状のガイドがガイド取り付け部に取り付けられたところを示す斜視図である。
【図６】図２のジャックコネクタのガイド取り付け部に設けられる導体の凹部形状のガイドを示す拡大斜視図である。
【図７】図２のジャックコネクタのガイド取り付け部を示す拡大斜視図である。
【図８】図６の導体の凹部形状のガイドがガイド取り付け部に取り付けられたところを示す斜視図である。
【図９】本発明の第２実施例のプラグコネクタを示す斜視図である。
【図１０】図９のプラグコネクタと嵌合可能なジャックコネクタを示す斜視図である。
【符号の説明】
１０…プラグコネクタ
１２…ジャックコネクタ
１４…絶縁性のボディ
１６…嵌合部
１８…ガイド取り付け部
２２…信号端子
２４…導体の突起状のガイド
３４…絶縁性のボディ
３６…嵌合部
３８…ガイド取り付け部
４２…信号端子
４４…導体の凹部形状のガイド
４８…弾力性の接触部
５４…絶縁性のボディ
５６…嵌合部
５８…ガイド部
６０…接触部
６２…信号端子
６４…絶縁性のボディ
６６…嵌合部
６８…ガイド部
７０…信号端子
７４…接触部
１００…プラグコネクタ
１０２…ジャックコネクタ
【図１】
0003651979.tif 000002
【図２】
0003651979.tif 000003
【図３】
0003651979.tif 000004
【図４】
0003651979.tif 000005
【図５】
0003651979.tif 000006
【図６】
0003651979.tif 000007
【図７】
0003651979.tif 000008
【図８】
0003651979.tif 000009
【図９】
0003651979.tif 000010
【図１０】
0003651979.tif 000011